(57)【要約】【課題】  けん先の皿胴から飛び出す長さを一定の長さに保持することが可能であり、かつ糸が切れにくいけん玉を提供する。【解決手段】  鼓状に形成された皿胴1、該皿胴1に形成された貫通孔5に先端が挿入可能な棒状に形成されたけん2、該けん2の先端が挿入される孔部31が設けられた玉3、および該玉3と皿胴1を結ぶ糸4からなり、皿胴がけんの所定の位置よりも奥に入り込まないよう、けん2に段部23を設け、皿胴1の貫通孔5の内部に段差23からなるストッパー機構を設けた。【選択図】  図５
2005124934.tif 000002
【特許請求の範囲】
【請求項１】
鼓状に形成された皿胴、該皿胴に形成された貫通孔に先端が挿入可能な棒状に形成されたけん、該けんの先端が挿入される孔部が設けられた玉、および該玉と皿胴を結ぶ糸からなり、皿胴がけんの所定の位置よりも奥に入り込まないように、皿胴の貫通孔の内部にストッパー機構を備えることを特徴とするけん玉。
【請求項２】
けんが皿胴の貫通孔から取り外し可能に取付けられている請求項1記載のけん玉。
【発明の詳細な説明】
【技術分野】
【０００１】
本発明は、けん玉に関するものである。
【背景技術】
【０００２】
従来のけん玉は、例えば図9に示すように、鼓状に形成された皿胴101、該皿胴に形成された貫通孔に先端が挿入可能な棒状に形成されたけん102、けん102の先端が挿入される孔部が設けられた玉103、および該玉103とけん又は皿胴を結ぶ糸104などから構成される(例えば特許文献1参照)。
【０００３】
【特許文献１】特開2002-346011号公報(図17、図18、0002、0003、0004)
【０００４】
上記特許文献1に記載されたけん玉において、糸104は、図10に示すように一端を玉103の孔部105に貫通する取付孔106に挿通し、前記孔部105側から取付孔106の径よりも大きなビーズ107を通して結び、結び目が玉103の取付孔106から抜けないように固定する。また皿胴101には、皿胴の外側からけん102の先端が挿通される貫通孔108に通じる糸取付孔109が設けられ、糸104の他端を糸取付孔109に挿通して糸を結んで、結び目が糸取付孔109の貫通孔108内部側に位置するように、糸104が糸取付孔109から抜けないように取付けられる。
【発明の開示】
【発明が解決しようとする課題】
【０００５】
上記特許文献1に記載された従来のけん玉100は、競技用等に用いられるものであり、皿胴101の貫通孔108をけん102の先端に挿通しただけの状態にある。そのためけん玉を使用して遊技している最中に、皿胴101がけん102から外れないようにするには、皿胴101をけん102に強く差し込んでおく必要がある。
【０００６】
しかしながら、皿胴101の貫通孔108に件102を強く差しこむことを繰り返すと、貫通孔108の径が徐々に拡大すると共に、けんの先端が痩せて、けん102の先端の皿胴101からの飛び出し量が大きくなってしまう。けん玉の遊技を正常に行なう為には、けん102の先端の皿胴101から突出する長さは、玉103の孔部105の深さよりも短い必要がある。けんの先端が孔部105の深さ以上に突出すると、正常な遊技ができなくなってしまうという問題がある。このような状態になったけん玉は、正式な競技会では使用できないことになる。
【０００７】
また、玉103を結ぶ糸104は、図10に示すように、皿胴101の貫通孔108の内部に結び目110が位置することになる。ところが、貫通孔108にけん102の先端が挿入されるため、けん先と皿胴の貫通孔内壁との間の摩擦により、糸が擦り切れ易いという問題がある。
【０００８】
本発明は上記従来技術の欠点に鑑みなされたものであり、けん先の皿胴から飛び出す長さを一定の長さに保持することが可能であり、かつ糸が切れにくいけん玉を提供することを目的とする。
【課題を解決するための手段】
【０００９】
本発明は、
（１）鼓状に形成された皿胴、該皿胴に形成された貫通孔に先端が挿入可能な棒状に形成されたけん、該けんの先端が挿入される孔部が設けられた玉、および該玉と皿胴を結ぶ糸からなり、皿胴がけんの所定の位置よりも奥に入り込まないように、皿胴の貫通孔の内部にストッパー機構を備えることを特徴とするけん玉、
（２）けんが皿胴の貫通孔から取り外し可能に取付けられている上記(1)記載のけん玉、
を要旨とするものである。
【発明の効果】
【００１０】
本発明けん玉は、皿胴の貫通孔の内部にストッパー機構を備えることにより、けん先の皿胴から飛び出す長さを一定の長さに保持することが可能であり、けん先が皿胴から所定の長さ以上に飛び出すのを防止できる。また、ストッパー機構は、皿胴の貫通孔の内部に設けられている為に、すっきした外観が得られる。
【００１１】
またストッパー機構は皿胴の貫通孔の内部に設けられ、皿胴の外部からビス等でけんに固定するものではない為に、皿胴の外部に突起などを有していないことから、安全性が高いけん玉が得られる。
【００１２】
また、ストッパー機構により皿胴が必要以上にけんの奥に入り込まないので、摩擦により糸が切れるのを防止できる。
【発明を実施するための最良の形態】
【００１３】
以下、図面を用いて本発明を詳細に説明する。図1は本発明けん玉の1例を示す正面図である。図1に示すように本発明けん玉は、鼓状に形成された皿胴1、該皿胴1に形成された貫通孔に先端が挿入可能な棒状に形成されたけん2、けん2の先端が挿入される孔部が設けられた玉3、および該玉3と皿胴1を結ぶ糸4から構成される。
【００１４】
図2は図1の皿胴の短手方向の垂直断面図であり、図3は図1の皿胴の長手方向の垂直断面図であり、図4は図1の皿胴の平面図である。皿胴1は、通常のけん玉と同様に、鼓状に形成され、長手方向の両端に凹状の受皿が設けられ、受皿の間の中間部分がくびれた形状に形成されている。受皿は、大きさが異なる大皿7と小皿8とから構成されている。さらに図2〜4に示すように、皿胴1の内部にはけん先を通す為の貫通孔5が設けられ、該貫通孔5は孔径の広い太孔部51と孔径の細い細孔部52とから形成され、太孔部51と細孔部52との境界は段差53として形成されている。
【００１５】
また皿胴1の中間部分には、図2に示すように、皿胴1の外側から内部の貫通孔5に貫通させた糸通し孔6が設けられている。糸通し孔6は、皿胴1の外側では上下方向の中央よりも上部側に設けられ、皿胴1の内側では少なくとも貫通孔5の細孔部53の部分に貫通するように形成されている。
【００１６】
皿胴1の糸通し孔6は、図4に示すように、貫通孔5の幅方向のほぼ中間の位置に、貫通孔5の中心軸に対して対称に2個の糸通し孔6A、6Bが設けられている。この糸通し孔6A、6Bは、右利き、左利きによって、孔の位置を使い分ける為である。
【００１７】
図5は図1のけん玉の垂直断面図である。なお、図5では糸の記載を省略した。けん2は図5に示すように、けん先の握り部側の上記皿胴1の貫通孔5の太孔部51に対応する部分が太径部21として形成され、けん先の先端側の皿胴1の貫通孔5の細孔部52に対応する部分が細径部22として形成され、太径部21と細径部22との境界に段部23が形成されている。図5に示すように、太径部21と細径部22の大きさ(外径)は、それぞれ太孔部51と細孔部52の内径と同じ大きさに形成されている。
【００１８】
けん2の貫通孔から外側となる位置に対応する部分は、先端に向かってわずかにテーパーが付けられている。例えば、細径部22の直径が10mmであるとすると先端付近の直径は9mmとなる程度のテーパーである。またけん2の先端は、丸められている。けん2の皿胴の貫通孔から上方に露出する先端部分の長さは、けん玉自体のサイズに応じて適宜決められ特に限定されないが、玉3の内部に設けられているけん先保持孔31の深さよりも若干短くなるように形成されている。
【００１９】
けん2は、皿胴1の貫通孔5から下方が、けんの下端に向けて径が大きくなるようなテーパーが設けられている。また、けん2の下端には中皿9が設けられ、下端から所定の距離の位置に少し太い溝状の凸部として形成された滑り止め10が設けられている。
【００２０】
図5に示すように、けん2のけん先を貫通孔5に差し込むと、けん先の段部23が貫通孔5の段差53の部分にぶつかって止まり、それ以上けん先は貫通孔5に入り込まない。そのため、図5に示すように、けん2の皿胴1から外側に突出する先端部分の長さを常に一定の長さに維持することができる。このけん2の段部23と皿胴1の貫通孔5の内部に設けられた段差53とが、ストッパー機構を構成するものである。
【００２１】
本発明けん玉において、けん先が貫通孔に対し嵌合しただけの状態として、取り外し可能に形成するのが好ましい。皿胴に、接着剤やビス等の固定部材を用いてけん先を固定して取り外しできないように形成してもよいが、その場合、糸が切れた際に糸を交換するのが不可能になってしまう。これに対し、皿胴1が外れるように形成されていると、糸4が切れた場合の交換が容易になる利点がある。なお競技会などで皿胴1の抜けを防止する必要がある場合には、セロハンテープをけん2の所定位置に巻きつけたり、取り外し可能な程度に薄く接着剤を付けることで、簡単に抜け防止を図ることができる。
【００２２】
糸4は、図5に示すように一端を玉3の貫通孔5に貫通する糸取付孔11に挿通し、貫通孔5内部側から糸取付孔11の径よりも大きなプラスチックビーズ12に通して結び目を作り、プラスチックビーズ12によって、糸を引っ張っても糸取付孔11から抜けないように固定されている。
【００２３】
一方皿胴1側における糸4の取付けは、皿胴外部から糸通し孔6から貫通孔5の内部に通し、貫通孔内部で糸を結んで結び目を作り、糸が糸通し孔から外れないようにする。この場合、図2に示すように、糸通し孔6は貫通孔5において細孔部52の部分に開口しているから、糸4の結び目は細孔部52のところに位置する。また図6(a)に示すように、糸4の結び目41が貫通孔の内部に位置するようにすることもできるし、同図(b)に示すように糸4の先端の結び目41が皿胴の貫通孔5の外部となるようにしたり、けん2に糸を巻きつけたりすることもできる。
【００２４】
図7(a)に示すように、糸通し孔6から貫通孔5の内部に通した糸4をけん先の細径部22に巻き付けて、糸4をけん2に固定しても良い。この場合、遊技者が必要に応じて、同図(b)に示すように更にもう一回けん2に糸4を巻きつけて2回巻としたり、同図(c)に示すように更にもう1回けん2に糸4を巻きつけて合計3回巻とすることで、糸の長さ調整を容易に行なうことができる。なお糸4をけん2に巻きつけることで、けん2の先端の飛び出し量が糸の分だけ少し短くなるが、この程度であれば、競技用けん玉の許容範囲である。
【００２５】
このように糸4をけん2に巻きつける場合、糸4はけん2の細径部22に巻きつけることになる。皿胴1の貫通孔5細孔部52の内径を、けん2の細径部22の外径よりも大きく形成して、細孔部52と細径部22の間に隙間が形成されるようにしてもよい。なお、この隙間は、けん2の段部23が段差53に突き当たる範囲で形成する。また隙間の大きさは糸の太さ程度の大きさであればよい。このように隙間が形成されていると、図7(a)〜(c)に示すようなけん2に巻きついた糸が、隙間に収まることになり、貫通孔5にけん2を差し込む際に貫通孔5の壁とけん2との間の摩擦により糸4が擦り切れたりするのを更に良好に防止できる。
【００２６】
本発明けん玉は、皿胴がけんの所定の位置よりも奥に入り込まないように、貫通孔の内部にストッパー機構を備えるものであればよく、図1に示す態様のけん玉のように、けん2に設けた段部23と皿胴1の貫通孔5に設けた段差53とから構成されるストッパー機構に限定されるものではない。
【００２７】
例えばストッパー機構の他の例として、図8に示すように、皿胴1の貫通孔5に周囲を取り巻くような凹溝55を穿設し、けん2の凹溝55に対応する位置に突起を有する板ばね25を設けて構成することができる。けん2を貫通孔5に少し強く押し込むと、板ばね25の突起が凹溝55内に入り込み、所定の位置に固定される。皿胴1を取り外すときは、少し強く引っ張ると、板ばね25の突起が圧縮されて凹溝55から外れる。
【００２８】
また、特に図示しないが、ストッパー機構として、貫通孔の内部とけん2の対応する位置が、雌ねじと雄ねじにより構成されるねじ込み構造として、けん2を皿胴1の貫通孔にねじ込んで固定したり、取り外したりすることが可能に構成してもよい。
【図面の簡単な説明】
【００２９】
【図１】本発明けん玉の1例を示す正面図である。
【図２】図1のけん玉の皿胴の短手方向の垂直断面図である。
【図３】図1のけん玉の皿胴の長手方向の垂直断面図である。
【図４】図1のけん玉の皿胴の平面図である。
【図５】図1のけん玉の垂直断面図である。
【図６】(a)、(b)は糸の結び方を説明する為の、皿胴の断面図である。
【図７】(a)〜(c)は糸の結び方を説明する為の、けん先を示す説明図である。
【図８】ストッパー機構の他の例を示す、皿胴の貫通孔付近の断面図である。
【図９】従来のけん玉の外観を示す正面図である。
【図１０】図9の従来のけん玉を説明する為の、説明図である。
【符号の説明】
【００３０】
1  皿胴
2  けん
3  玉
4  糸
5  貫通孔
6  糸通し孔
21  太径部
22  細径部
23  段部
25  突起を有する板ばね
51  太孔部
52  細孔部
53  段差
55  凹溝
【図１】
2005124934.tif 000003
【図２】
2005124934.tif 000004
【図３】
2005124934.tif 000005
【図４】
2005124934.tif 000006
【図５】
2005124934.tif 000007
【図６】
2005124934.tif 000008
【図７】
2005124934.tif 000009
【図８】
2005124934.tif 000010
【図９】
2005124934.tif 000011
【図１０】
2005124934.tif 000012